(57)【要約】本発明は加熱のための複数の製品のためのパッケージ（１）であって、  環境から遮断された少なくとも２つのコンパートメント（４，５，６）を有する、使い捨てのための材料から製造されたコンテナ（２）、およびパッケージ内の過剰圧力を減少させるために、パッケージ内に配置されたメディアのための少なくとも１つの開口通路（８）を含み、コンパートメント内の圧力を異なるレベルで維持することができるパッケージに関する。本発明はさらに１つのコンテナ内に置かれた加熱用の複数の製品を、１つの加熱源を使用して異なる温度に加熱する方法に関する。
2006506284.tif 000002
【特許請求の範囲】
【請求項１】
加熱のための複数の製品、特には食品のためのパッケージであって、
環境から遮断された少なくとも２つのコンパートメントを有する、使い捨てのための材料から製造されたコンテナ、および
パッケージ内の過剰圧力を減少させるために、パッケージ内に配置されたメディアのための少なくとも１つの開口通路を含み、
コンパートメントが互いにメディア−タイトリーに隔てられ、それぞれのコンパートメントに互いに異なる開口通路が提供され、それぞれのコンパートメント内の過剰圧力が異なる圧力レベルで最大化されることに特徴を有する、パッケージ。
【請求項２】
材料の層を使用して環境からコンパートメントが遮断される、請求項１記載のパッケージ。
【請求項３】
開口通路がパッケージの使用前にブロックされ、コンパートメント内の圧力の影響により開く、請求項１または２記載のパッケージ。
【請求項４】
開口通路がパッケージの使用前にブロックされ、あらかじめ決定された温度を超えた影響により開く、請求項１から３のいずれか１項記載のパッケージ。
【請求項５】
異なる開口通路に異なる圧力レベルで作動する圧力弁が提供される、請求項１から４のいずれか１項記載のパッケージ。
【請求項６】
それぞれのコンパートメントが、コンパートメントごとに異なる総通路表面の開口通路を有する、請求項１から５のいずれか１項記載のパッケージ。
【請求項７】
開口通路が、接着剤層で固定されたカバー要素手段によりパッケージの使用前にブロックされ、該接着剤層があらかじめ決定された温度で軟化する、請求項１から６のいずれか１項記載のパッケージ。
【請求項８】
１つのカバー要素が複数の開口通路を覆い、開口通路の位置においてカバー要素内に弱められた部分が配置される、請求項７記載のパッケージ。
【請求項９】
開口通路が、コンパートメントが環境から遮断される材料の層内に配置される、請求項２から８のいずれか１項記載のパッケージ。
【請求項１０】
開口通路がコンテナ内に配置される、請求項１から９のいずれか１項記載のパッケージ。
【請求項１１】
請求項１から１０のいずれか１項記載のパッケージと、それぞれのコンパートメント内に配置された複数の製品、特には食品とのアセンブリ。
【請求項１２】
単一のコンテナ内に置かれた加熱される複数の製品、特には食品を、熱源で異なる温度に加熱する方法であって、加熱される製品が提供された複数の隔てられたコンパートメントを有するコンテナを熱源で加熱することにより、それぞれのコンパートメントに連結された開口通路により結合されたコンパートメント内で過剰圧力が生成され、異なる圧力になり、異なる温度がコンパートメント内で生じるようにする方法。
【請求項１３】
コンテナが単一の熱源により加熱される、請求項１２記載の方法。
【請求項１４】
コンテナがオーブン中に置かれる、請求項１２または１３記載の方法。
【請求項１５】
加熱後に、材料の層を取り除くことにより、食品を取り出すことができるようにコンパートメントが作られる、請求項１２から１４のいずれか１項記載の方法。
【発明の詳細な説明】
【技術分野】
【０００１】
本発明は加熱用の複数の製品、特に食品を含むパッケージに関し、これは使い捨ての材料から製造され、環境から遮断された少なくとも２つのコンパートメントを有するコンテナ、およびパッケージ内の過剰圧力を減少させるために、パッケージ内に配置されたメディアのための少なくとも１つの開口通路（ｐａｓｓａｇｅ  ｏｐｅｎｉｎｇ）を含む。本発明は、１つのパッケージ中に配置された加熱用の複数の製品を、加熱源を使用して異なる温度に加熱する方法に関する。
【０００２】
準備することが簡単な食事の使用が著しく増加している。適当に消費するために加熱されることのみが必要な、準備された食事について例示される。そのような手段は通常あらかじめ調理され、次に、使用する直前まで冷却される。そのような食事は、家庭、公共機関、病院および学校で使用するのためにとりわけ適用される。冷やされた食事の加熱は種々の方法で行うことができる。しかし、もっとも一般的にはパッケージを温水中に入れるか、またはパッケージをオーブンに入れる。これらの食事および加熱方法の欠点は、食事を構成するすべての要素が同じように加熱されることである。これは、食欲をそそり健全な食事を準備する可能性を低下させる。たとえば、ある食品（たとえば野菜）はビタミンが多い好ましい状態を維持するためにあまり熱くしてはならないし、他の食品（たとえばソース）は異なる特定の温度を超えてはならない。なぜなら、これはテクスチャーとストラクチャーを損なうからである。また、反対に第３の成分（たとえば、食肉または鳥もしくは家禽類の肉）は完全に調理するため、又はバクテリアを殺すために特定の温度を超えなければならない。さらに、異なる食品の間では、望ましい温度が異なるという調理上の理由がある場合がある。
【０００３】
本発明の目的は、パッケージ、および１つのコンテナ内に一緒に入れられた複数の食品が、１つの加熱源により簡単な方法で加熱でき、異なる食品が異なる温度に加熱される方法を提供することである。
【０００４】
本発明は、前文において述べられたタイプのパッケージであって、コンパートメントが互いにメディア−タイトリー（ｍｅｄｉｕm−ｔｉｇｈｔｌｙ）に分けられおり、個々のコンパートメントに互いに異なる開口通路が提供され、個々のコンパートメント内の過剰圧力が異なる圧力レベルで最大化される点において特徴づけられるパッケージを提供する。温度は、加熱中に生成物に加えられる圧力に依存する、決定した値で安定するだろう。たとえば、比較的高い圧力になりより高い調理温度に帰着する圧力鍋、および水が８０℃で沸騰する登山者を比較する。異なるコンパートメントに異なる開口通路（異なる圧力弁）を接続することにより、異なるコンパートメント中に異なる圧力（したがってさらに温度も）を具現化することも可能である。このパッケージは１つの加熱源により加熱されることのみを必要とし、加熱のために複雑な操作は必要ない。食品を異なる温度にすることに加え、食品以外のもの（例えばいわゆる熱いタオル）も、任意に食品とともに、この方法で加熱することができる。好ましい実施態様では、たとえば透明なプラスチックホイルなどの材料の層を使用して環境からコンパートメントを遮断し、最低限の材料の使用によりコンテナの製品の様子がわかるように作られる。
【０００５】
環境とコンパートメントの内部の間のガスの不適当な交換を防ぐために、開口通路はパッケージの使用に先立って好ましくは閉鎖され、コンパートメントの圧力の影響下で開く。これは、パッケージの使用（加熱）前のコンパートメントのメディア−タイトリーな閉鎖を保証する。その結果、これについて腐敗しやすい品物を、より長く保存することができる。開口通路を開く操作が適切になる場合に限り、（決定された圧力に到達した時）それらが開く。加熱の開始前の開口通路の閉鎖を保証するための別のオプションは、開口通路がパッケージの使用前に閉鎖され、決定した温度を超えた影響下で開くという点で異なる実施態様に従って実現することができる。この手段は、圧力の影響下で開口通路が開く手段とともに適用することができる。また、これは例えば加熱を開始する前に制御できない圧力がパッケージに加えられた場合にも、開口が時期尚早に開かないための確実性を大きくする。
【０００６】
異なる開口通路には、異なる圧力レベルで作用する圧力バルブを提供することができ、たとえば、公知のタイプの圧力バルブがこの目的のために適用されることができる。さらに、個々のコンパートメントが１つのコンパートメント当たりで異なる総通路表面を有する開口通路を有することも可能である；通路表面が十分に小さい場合に限り、これらは、コンパートメント内に決定した圧力レベルを引き起こすことができる。所望により、１つ以上の開口通路が一つのコンパートメントへ接続されることができる。たとえば、すべての開口通路について１つの寸法のみを１つのパッケージにおいて使用し、コンパートメントごとに開口通路の数が異なることが可能である。
【０００７】
製造が簡単で、安価である本発明にかかるパッケージの異なる実施態様では、開口通路は、接着剤の層で固定されたカバー要素（ステッカー）手段により、パッケージの使用前にブロックされる。ここで該接着剤層はあらかじめ決定された温度で軟化する。一層の効率の増大のため、そのようなカバー要素はパッケージの内容物についての情報を示すために使用することができ、二重の目的のために役立つことができるカバー要素はさらに、ひとつのカバー要素として複数の開口通路をカバーすることができ、開口通路の位置でカバー要素に弱められた部分が配置され、カバー要素が開口通路を覆うすべての箇所においてカバー要素が同時に開放されるようにすることができる。さらに、この方策を変えることも可能であることは銘記される；意識的に、より大きな程度またはより小さな程度に弱めた部分を配置して、異なる開口通路が開く時期をさらに変えることができる。カバー要素の材料として、任意の考えられる材料から選ぶことが可能であり、たとえば、プラスチックあるいは紙があげられる。特殊な変法においては、２重のホイル層であって、１つのみに開口通路が提供されたものも使用できる。別法として、カバー要素は接着剤層と組み合わせることもできる；その例としては、開口通路がインク層により閉じられたものがあげられる。
【０００８】
材料層（ホイル層）の中に開口通路が配置され、それによりコンパートメントが環境から遮断されることは実施において有用である。そのようなホイル層は小さな開口を提供するのが簡単で、一般にパッケージの上面に位置し、少なくともコンパートメントが完全には充填されない場合、製品はそれらと接触しないようにされ、とりわけ漏れの危険を減らす。しかしながら、別法として、コンテナの中に開口通路が配置されることも可能である。
【０００９】
上記のパッケージに加えて、本発明は、さらに個々のコンパートメント内に置かれた複数の製品、特には食品と、そのようなパッケージとのアセンブリーを含む。このアセンブリーによって、本発明によるパッケージに関して上述されたような利点が実現されることができる。
【００１０】
本発明は、さらに単一の熱源で異なる温度に加熱する方法に関し、１つのコンテナ内に置かれた加熱される複数の製品、特には食品を、加熱される製品が提供された複数の隔てられたコンパートメントを有するコンテナを熱源で加熱することにより、過剰圧力がそれぞれのコンパートメントに連結された開口通路により結合されコンパートメント内で生成され、異なる圧力になり、異なる温度がコンパートメント内で生じるようにする。パッケージは、たとえば電子レンジ、熱風オーブン、温水浴、または他の公知の熱源、特には食品を加熱するための熱源などの、１つの熱源のみにより加熱することができる。たとえば、パッケージはコンテナに熱を供給するオーブン内に容易に置かれ、その後パッケージは決められた温度で十分に長い時間加熱され、異なるコンパートメント内の異なる製品が意図された別個の温度に、さらなる干渉をすることなく加熱される。加熱後、たとえば材料層を分離することにより、コンパートメントは食品の取り出しが可能とされる。材料層を容易に分離することができる場合（材料層のピールオフ付着とも呼ばれる）、それは特に有利である。これは、制御不能な態様で熱い製品がコンテナから出てくる危険を低減する。
【００１１】
本発明は以下に示される比限定的な例示を参照してさらに明確にされる。図１Ａは、加熱開始前に食品で満たされた本発明のパッケージの透視図を示す。図１Ｂは図１Ａに示されたパッケージの加熱中の様子を示す透視図を示す。図１Ｃは開けた後の図１Ａおよび１Ｂに示されるパッケージの透視図を示す。図２は本発明にかかる異なる態様の透視図である。図３Ａは開口通路が閉じられた状態の概要の断面図を示す。図３Ｂは図３Ａの開放された開口通路を通る概要の断面積を示す。また、図４は本発明にかかる異なる態様のパッケージの概要の断面図を示す。
【００１２】
図１Ａは、コンテナ２が提供されたパッケージ１を示し、透明なホイル３で覆われ、パッケージ１はコンパートメント４，５，６を有し、互いに、および環境からメディア−タイトリーに隔てられる。製品情報を含んでいるステッカー７は、ホイル３の上に配置される。パッケージ１は特に食物を入れるために適応され、一般に使用前に冷凍される。図１Ｂに示されるパッケージ１の加熱中、ステッカー７がホイル３に接着されている接着剤層が軟化する（図３Ｂに関する記載も参照のこと）。ステッカー７の部分的に開放される部分８は、ホイル３中にこの目的のために特別に配置された開口（図示せず）手段により、部分的に開放された部分８上にコンパートメント４，５，６から加えられるメディア圧力により、上方に押される。ホイル３の開口は比較的小さく、ホイル３の開口の数は、異なるコンパートメント４、５、６の場所で変えることができる。２つの上方に押され開放された部分８はコンパートメント４の上に接続され、１つの上方に押され開放された部分８はコンパートメント５の上に接続され、３つの上方に押され開放された部分８がコンパートメント６の上に接続されていることが図からわかる。コンパートメント４、５、６内の圧力はこのように変えることができる。パッケージ１が一旦十分な時間加熱されると、ホイル３は引っ張られて剥がされることができ、コンテナ２内の食品９，１０，１１を取り出すことができる。図１Ｃ参照。
【００１３】
図２は、コンテナ２を有するパッケージを示し、そこでは、それぞれが互いに異なる圧力で作動する、公知のバルブ１１、１２、１３がホイル３内に配置される。個々のコンパートメント４、５、６内の圧力も、このように相互に異なる値で最大限にすることができる。
【００１４】
図３Ａは、開口１５が配置されたホイル１４を通る概要の断面図を示す。接着剤層１７を使用してステッカー１６はホイル１４に接着され、ステッカー１６がホイル１４中の開口１５を閉じる。カット１８が、ホイル１４の中にさらに作られる。この図の中に示される状況は、パッケージ１の加熱前の図１Ａのパッケージ１中の開口通路の状況に相当する。パッケージ１が加熱されると、図３Ｂに示された状況になる。ホイル１４中で開口１５を通してステッカー１６に及ぼされた圧力によって、決定した温度における接着剤層１７の軟化とカット１８の組み合わせで、ステッカー部分１９は押されてホイル１４から離れる。その結果、ホイル中の開口１５が開かれ、メディア（ガス、蒸気など）用開口通路として機能するであろう。
【００１５】
最後に、図４は他のパッケージ２０を示し、２つの積み重ねられたコンパートメント２１、２２を有する。下部のコンパートメントは例えばスープ２３を含んでいる。その一方で上部のコンパートメント２２は例えばスープボール２４およびスープ野菜２５を含んでいる。上部のコンパートメントは下部のコンパートメント２１を閉じる。また、コンパートメント２１、２２は接続要素２６によって互いに連結され、コンパートメント２１、２２は互いからの望まれない分離を防止する。開口通路２９は上部のコンパートメント２２の底にも提供されている一方、上部のコンパートメント２２は、３つの開口通路２８が配置されるホイル２７で閉じられる。パッケージ２０は、下部のコンパートメント２１の圧力レベルよりも低い圧力レベルで上部のコンパートメント２２の圧力レベルが最大となるように構成される。スープ２３はより多くの蒸気処理を受けるので、スープボール２５およびスープ野菜２５よりも高温に熱することが可能となる。
【図面の簡単な説明】
【００１６】
【図１Ａ】図１Ａは、加熱開始前に食品で満たされた本発明のパッケージの透視図を示す。
【図１Ｂ】図１Ｂは図１Ａに示されたパッケージの加熱中の様子を示す透視図を示す。
【図１Ｃ】図１Ｃは開けた後の図１Ａおよび１Ｂに示されるパッケージの透視図を示す。
【図２】図２は本発明にかかる異なる態様の透視図である。
【図３Ａ】図３Ａは開口通路が閉じられた状態の概要の断面図を示す。
【図３Ｂ】図３Ｂは図３Ａの開放された開口通路を通る概要の断面積を示す。
【図４】図４は本発明にかかる異なる態様のパッケージの概要の断面図を示す。
2006506284.tif 000003
【図２】
2006506284.tif 000004
2006506284.tif 000005
【図４】
2006506284.tif 000006
【手続補正書】
【提出日】平成16年9月3日(2004.9.3)
【手続補正１】
【補正対象書類名】特許請求の範囲
【補正対象項目名】全文
【補正方法】変更
【補正の内容】
【特許請求の範囲】
【請求項１】
加熱のための複数の製品、特には食品（１０，２３，２４，２５）のためのパッケージ（１，９，２０）であって、
環境から遮断された少なくとも２つのコンパートメント（４，５，６，２１，２２）を有する、使い捨てのための材料から製造されたコンテナ（２）であって、該コンパートメント（４，５，６，２１，２２）は互いにメディア−タイトリーに隔てられている、および
パッケージ（１，９，２０）内の過剰圧力を減少させるために、メディアのための開口通路（１１，１２，１３，１５，２８，２９）を有するそれぞれのコンパートメント（４，５，６，２１，２２）を含み、
それぞれのコンパートメント（４，５，６，２１，２２）の開口通路（１１，１２，１３，１５，２８，２９）が互いに異なり、それぞれのコンパートメント（４，５，６，２１，２２）内の過剰圧力が異なる圧力レベルで最大化されることに特徴を有する、パッケージ。
【請求項２】
材料の層（３，１４，２７）を使用して環境からコンパートメント（４，５，６，２１，２２）が遮断される、請求項１記載のパッケージ（１，９，２０）。
【請求項３】
開口通路（１１，１２，１３，１５，２８，２９）がパッケージ（１，９，２０）の使用前にブロックされ、コンパートメント（４，５，６，２１，２２）内の圧力の影響により開く、請求項１または２記載のパッケージ（１，９，２０）。
【請求項４】
開口通路（１１，１２，１３，１５，２８，２９）がパッケージ（１，９，２０）の使用前にブロックされ、あらかじめ決定された温度を超えた影響により開く、請求項１から３のいずれか１項記載のパッケージ（１，９，２０）。
【請求項５】
異なる開口通路（１１，１２，１３，１５，２８，２９）に異なる圧力レベルで作動する圧力弁（１１，１２，１３）が提供される、請求項１から４のいずれか１項記載のパッケージ（１，９，２０）。
【請求項６】
それぞれのコンパートメント（４，５，６，２１，２２）が、コンパートメント（４，５，６，２１，２２）ごとに異なる総通路表面の開口通路（１１，１２，１３，１５，２８，２９）を有する、請求項１から５のいずれか１項記載のパッケージ（１，９，２０）。
【請求項７】
開口通路（１１，１２，１３，１５，２８，２９）が、接着剤層（１７）で固定されたカバー要素手段（７，１６）によりパッケージ（１，９，２０）の使用前にブロックされ、該接着剤層（１７）があらかじめ決定された温度で軟化する、請求項１から６のいずれか１項記載のパッケージ（１，９，２０）。
【請求項８】
１つのカバー要素（７，１６）が複数の開口通路（１１，１２，１３，１５，２８，２９）を覆い、開口通路（１１，１２，１３，１５，２８，２９）の位置においてカバー要素（７，１６）内に弱められた部分（１８）が配置される、請求項７記載のパッケージ（１，９，２０）。
【請求項９】
開口通路（１１，１２，１３，１５，２８，２９）が、コンパートメント（４，５，６，２１，２２）が環境から遮断される材料の層（３，１４，２７）内に配置される、請求項２から８のいずれか１項記載のパッケージ（１，９，２０）。
【請求項１０】
開口通路（１１，１２，１３，１５，２８，２９）がコンテナ（２）内に配置される、請求項１から９のいずれか１項記載のパッケージ（１，９，２０）。
【請求項１１】
請求項１から１０のいずれか１項記載のパッケージ（１，９，２０）と、それぞれのコンパートメント（４，５，６，２１，２２）内に配置された複数の製品、特には食品（１０，２３，２４，２５）とのアセンブリ。
【請求項１２】
単一のコンテナ（２）内に置かれた加熱される複数の製品、特には食品（１０，２３，２４，２５）を、熱源で異なる温度に加熱する方法であって、加熱される製品（１０，２３，２４，２５）が提供された複数の隔てられたコンパートメント（４，５，６，２１，２２）を有するコンテナ（２）を熱源で加熱することにより、それぞれのコンパートメント（４，５，６，２１，２２）に連結された開口通路（１１，１２，１３，１５，２８，２９）により結合されたコンパートメント（４，５，６，２１，２２）内で過剰圧力が生成され、
それぞれのコンパートメント（４，５，６，２１，２２）の異なる開口通路（１１，１２，１３，１５，２８，２９）が、異なるコンパートメントの圧力が異なる圧力において最大になり、コンパートメント（４，５，６，２１，２２）内に異なる温度を生じさせることに特徴を有する方法。
【請求項１３】
コンテナ（２）が単一の熱源により加熱される、請求項１２記載の方法。
【請求項１４】
コンテナが（２）オーブン中に置かれる、請求項１２または１３記載の方法。
【請求項１５】
加熱後に、材料の層（３，１４，２７）を取り除くことにより、食品を取り出すことができるようにコンパートメント（４，５，６，２１，２２）が作られる、請求項１２から１４のいずれか１項記載の方法。
【手続補正２】
【補正対象書類名】明細書
【補正対象項目名】全文
【補正方法】変更
【補正の内容】
【発明の詳細な説明】
【技術分野】
【０００１】
本発明は請求項１のプレアンブルに記載された加熱用の複数の製品、特に食品を含むパッケージに関する。本発明は、さらに請求項１２のプレアンブルに記載された複数の製品を加熱する方法に関する。
【０００２】
準備することが簡単な食事の使用が著しく増加している。適当に消費するために加熱されることのみが必要な、準備された食事について例示される。そのような手段は通常あらかじめ調理され、次に、使用する直前まで冷却される。そのような食事は、家庭、公共機関、病院および学校で使用するのためにとりわけ適用される。冷やされた食事の加熱は種々の方法で行うことができる。しかし、もっとも一般的にはパッケージを温水中に入れるか、またはパッケージをオーブンに入れる。これらの食事および加熱方法の欠点は、食事を構成するすべての要素が同じように加熱されることである。これは、食欲をそそり健全な食事を準備する可能性を低下させる。たとえば、ある食品（たとえば野菜）はビタミンが多い好ましい状態を維持するためにあまり熱くしてはならないし、他の食品（たとえばソース）は異なる特定の温度を超えてはならない。なぜなら、これはテクスチャーとストラクチャーを損なうからである。また、反対に第３の成分（たとえば、食肉または鳥もしくは家禽類の肉）は完全に調理するため、又はバクテリアを殺すために特定の温度を超えなければならない。さらに、異なる食品の間では、望ましい温度が異なるという調理上の理由がある場合がある。
【０００３】
米国特許第４，０１３，７９８号は、食品を加熱するための曲げ可能なパッケージ、およびマイクロウエーブシールド装置に関し、該パッケージは複数の隔てられたシールされた、食品が満たされるコンパートメントを含む。少なくとも２つ、しかしすべてのコンパートメントよりは少なく、曲げ可能なコンパートメントが画定される。シールの一部はコンパートメント内の所定のレベルの水蒸気により破壊されるに十分弱い。水蒸気は曲げ可能なコンパートメントおよび破壊されたシールを介して排出することができる。異なるコンパートメント内に異なる温度を生じさせるために、開口を有するシールディングボックスが提供される。該シールディングボックスはマイクロウエーブエネルギーに対して非透過性の材料により形成され、異なるコンパートメント内の食品の暴露を異なる程度に選択的に制御することにより、パッケージの加熱のために１つのマイクロウエーブ源を使用しつつ、異なるコンパートメント内の食品の温度を変える。
本発明の目的は、パッケージ、および１つのコンテナ内に一緒に入れられた複数の食品が、１つの加熱源により簡単な方法で加熱でき、異なる隔てられたコンパートメント内の異なる圧力の結果として、異なる食品が異なる温度に加熱される方法を提供することである。
【０００４】
本発明は、請求項１に記載されたパッケージを提供する。温度は、加熱中に生成物に加えられる圧力に依存する、決定した値で安定するだろう。たとえば、比較的高い圧力になりより高い調理温度に帰着する圧力鍋、および水が８０℃で沸騰する登山者を比較する。異なるコンパートメントに異なる開口通路（異なる圧力弁）を接続することにより、異なるコンパートメント中に異なる圧力（したがってさらに温度も）を具現化することも可能である。このパッケージは１つの加熱源により加熱されることのみを必要とし、加熱のために複雑な操作は必要ない。食品を異なる温度にすることに加え、食品以外のもの（例えばいわゆる熱いタオル）も、任意に食品とともに、この方法で加熱することができる。好ましい実施態様では、たとえば透明なプラスチックホイルなどの材料の層を使用して環境からコンパートメントを遮断し、最低限の材料の使用によりコンテナの製品の様子がわかるように作られる。先行技術によるシールディングボックスの使用は余分であり、製品を加熱するためにより少ない材料とより少ないエネルギーしか必要としないので、本発明はより効率的である。さらに、本発明のパッケージは、先行技術に開示されているようにマイクロウエーブオーブンのみではなく、すべての製品を加熱するための公知の異なる熱源により加熱することができる。
【０００５】
環境とコンパートメントの内部の間のガスの不適当な交換を防ぐために、開口通路はパッケージの使用に先立って好ましくは閉鎖され、コンパートメントの圧力の影響下で開く。これは、パッケージの使用（加熱）前のコンパートメントのメディア−タイトリーな閉鎖を保証する。その結果、これについて腐敗しやすい品物を、より長く保存することができる。開口通路を開く操作が適切になる場合に限り、（決定された圧力に到達した時）それらが開く。加熱の開始前の開口通路の閉鎖を保証するための別のオプションは、開口通路がパッケージの使用前に閉鎖され、決定した温度を超えた影響下で開くという点で異なる実施態様に従って実現することができる。この手段は、圧力の影響下で開口通路が開く手段とともに適用することができる。また、これは例えば加熱を開始する前に制御できない圧力がパッケージに加えられた場合にも、開口が時期尚早に開かないための確実性を大きくする。
【０００６】
異なる開口通路には、異なる圧力レベルで作用する圧力バルブを提供することができ、たとえば、公知のタイプの圧力バルブがこの目的のために適用されることができる。さらに、個々のコンパートメントが１つのコンパートメント当たりで異なる総通路表面を有する開口通路を有することも可能である；通路表面が十分に小さい場合に限り、これらは、コンパートメント内に決定した圧力レベルを引き起こすことができる。所望により、１つ以上の開口通路が一つのコンパートメントへ接続されることができる。たとえば、すべての開口通路について１つの寸法のみを１つのパッケージにおいて使用し、コンパートメントごとに開口通路の数が異なることが可能である。
【０００７】
製造が簡単で、安価である本発明にかかるパッケージの異なる実施態様では、開口通路は、接着剤の層で固定されたカバー要素（ステッカー）手段により、パッケージの使用前にブロックされる。ここで該接着剤層はあらかじめ決定された温度で軟化する。一層の効率の増大のため、そのようなカバー要素はパッケージの内容物についての情報を示すために使用することができ、二重の目的のために役立つことができるカバー要素はさらに、ひとつのカバー要素として複数の開口通路をカバーすることができ、開口通路の位置でカバー要素に弱められた部分が配置され、カバー要素が開口通路を覆うすべての箇所においてカバー要素が同時に開放されるようにすることができる。さらに、この方策を変えることも可能であることは銘記される；意識的に、より大きな程度またはより小さな程度に弱めた部分を配置して、異なる開口通路が開く時期をさらに変えることができる。カバー要素の材料として、任意の考えられる材料から選ぶことが可能であり、たとえば、プラスチックあるいは紙があげられる。特殊な変法においては、２重のホイル層であって、１つのみに開口通路が提供されたものも使用できる。別法として、カバー要素は接着剤層と組み合わせることもできる；その例としては、開口通路がインク層により閉じられたものがあげられる。
【０００８】
材料層（ホイル層）の中に開口通路が配置され、それによりコンパートメントが環境から遮断されることは実施において有用である。そのようなホイル層は小さな開口を提供するのが簡単で、一般にパッケージの上面に位置し、少なくともコンパートメントが完全には充填されない場合、製品はそれらと接触しないようにされ、とりわけ漏れの危険を減らす。しかしながら、別法として、コンテナの中に開口通路が配置されることも可能である。
【０００９】
上記のパッケージに加えて、本発明は、さらに個々のコンパートメント内に置かれた複数の製品、特には食品と、そのようなパッケージとのアセンブリーを含む。このアセンブリーによって、本発明によるパッケージに関して上述されたような利点が実現されることができる。
【００１０】
本発明は、さらに単一の熱源で異なる温度に加熱する方法に関し、１つのコンテナ内に置かれた加熱される複数の製品、特には食品を、加熱される製品が提供された複数の隔てられたコンパートメントを有するコンテナを熱源で加熱することにより、過剰圧力がそれぞれのコンパートメントに連結された開口通路により結合されコンパートメント内で生成され、異なる圧力になり、異なる温度がコンパートメント内で生じるようにする。パッケージは、たとえば電子レンジ、熱風オーブン、温水浴、または他の公知の熱源、特には食品を加熱するための熱源などの、１つの熱源のみにより加熱することができる。たとえば、パッケージはコンテナに熱を供給するオーブン内に容易に置かれ、その後パッケージは決められた温度で十分に長い時間加熱され、異なるコンパートメント内の異なる製品が意図された別個の温度に、さらなる干渉をすることなく加熱される。加熱後、たとえば材料層を分離することにより、コンパートメントは食品の取り出しが可能とされる。材料層を容易に分離することができる場合（材料層のピールオフ付着とも呼ばれる）、それは特に有利である。これは、制御不能な態様で熱い製品がコンテナから出てくる危険を低減する。本発明による加熱は、加熱される製品の部分的なシールドが起こらないので、先行技術に比較して非常に効率的である。
【００１１】
本発明は以下に示される比限定的な例示を参照してさらに明確にされる。図１Ａは、加熱開始前に食品で満たされた本発明のパッケージの透視図を示す。図１Ｂは図１Ａに示されたパッケージの加熱中の様子を示す透視図を示す。図１Ｃは開けた後の図１Ａおよび１Ｂに示されるパッケージの透視図を示す。図２は本発明にかかる異なる態様の透視図である。図３Ａは開口通路が閉じられた状態の概要の断面図を示す。図３Ｂは図３Ａの開放された開口通路を通る概要の断面積を示す。また、図４は本発明にかかる異なる態様のパッケージの概要の断面図を示す。
【００１２】
図１Ａは、コンテナ２が提供されたパッケージ１を示し、透明なホイル３で覆われ、パッケージ１はコンパートメント４，５，６を有し、互いに、および環境からメディア−タイトリーに隔てられる。製品情報を含んでいるステッカー７は、ホイル３の上に配置される。パッケージ１は特に食物を入れるために適応され、一般に使用前に冷凍される。図１Ｂに示されるパッケージ１の加熱中、ステッカー７がホイル３に接着されている接着剤層が軟化する（図３Ｂに関する記載も参照のこと）。ステッカー７の部分的に開放される部分８は、ホイル３中にこの目的のために特別に配置された開口（図示せず）手段により、部分的に開放された部分８上にコンパートメント４，５，６から加えられるメディア圧力により、上方に押される。ホイル３の開口は比較的小さく、ホイル３の開口の数は、異なるコンパートメント４、５、６の場所で変えることができる。２つの上方に押され開放された部分８はコンパートメント４の上に接続され、１つの上方に押され開放された部分８はコンパートメント５の上に接続され、３つの上方に押され開放された部分８がコンパートメント６の上に接続されていることが図からわかる。コンパートメント４、５、６内の圧力はこのように変えることができる。パッケージ１が一旦十分な時間加熱されると、ホイル３は引っ張られて剥がされることができ、コンテナ２内の食品９，１０，１１を取り出すことができる。図１Ｃ参照。
【００１３】
図２は、コンテナ２を有するパッケージを示し、そこでは、それぞれが互いに異なる圧力で作動する、公知のバルブ１１、１２、１３がホイル３内に配置される。個々のコンパートメント４、５、６内の圧力も、このように相互に異なる値で最大限にすることができる。
【００１４】
図３Ａは、開口１５が配置されたホイル１４を通る概要の断面図を示す。接着剤層１７を使用してステッカー１６はホイル１４に接着され、ステッカー１６がホイル１４中の開口１５を閉じる。カット１８が、ホイル１４の中にさらに作られる。この図の中に示される状況は、パッケージ１の加熱前の図１Ａのパッケージ１中の開口通路の状況に相当する。パッケージ１が加熱されると、図３Ｂに示された状況になる。ホイル１４中で開口１５を通してステッカー１６に及ぼされた圧力によって、決定した温度における接着剤層１７の軟化とカット１８の組み合わせで、ステッカー部分１９は押されてホイル１４から離れる。その結果、ホイル中の開口１５が開かれ、メディア（ガス、蒸気など）用開口通路として機能するであろう。
【００１５】
最後に、図４は他のパッケージ２０を示し、２つの積み重ねられたコンパートメント２１、２２を有する。下部のコンパートメントは例えばスープ２３を含んでいる。その一方で上部のコンパートメント２２は例えばスープボール２４およびスープ野菜２５を含んでいる。上部のコンパートメントは下部のコンパートメント２１を閉じる。また、コンパートメント２１、２２は接続要素２６によって互いに連結され、コンパートメント２１、２２は互いからの望まれない分離を防止する。開口通路２９は上部のコンパートメント２２の底にも提供されている一方、上部のコンパートメント２２は、３つの開口通路２８が配置されるホイル２７で閉じられる。パッケージ２０は、下部のコンパートメント２１の圧力レベルよりも低い圧力レベルで上部のコンパートメント２２の圧力レベルが最大となるように構成される。スープ２３はより多くの蒸気処理を受けるので、スープボール２５およびスープ野菜２５よりも高温に熱することが可能となる。
【図面の簡単な説明】
【００１６】
【図１Ａ】図１Ａは、加熱開始前に食品で満たされた本発明のパッケージの透視図を示す。
【図１Ｂ】図１Ｂは図１Ａに示されたパッケージの加熱中の様子を示す透視図を示す。
【図１Ｃ】図１Ｃは開けた後の図１Ａおよび１Ｂに示されるパッケージの透視図を示す。
【図２】図２は本発明にかかる異なる態様の透視図である。
【図３Ａ】図３Ａは開口通路が閉じられた状態の概要の断面図を示す。
【図３Ｂ】図３Ｂは図３Ａの開放された開口通路を通る概要の断面積を示す。
【図４】図４は本発明にかかる異なる態様のパッケージの概要の断面図を示す。
【国際調査報告】
2006506284.tif 000007
2006506284.tif 000008
2006506284.tif 000009